(57)【要約】【課題】ユーザの体温変化等に基づいてユーザの感情や体調を判断し、積極的に感情・体調の安定化を図る情報演算処理装置を提供する。【解決手段】ＣＰＵ１１０は、ユーザの手の温度に応じて、ユーザの感情変化・体調変化を安定化させる香料を自動選択し、香料噴霧装置５０により噴霧し、あるいは体調維持のための対策メッセージを表示部４０に表示する。このことにより、積極的にユーザの感情・体調の安定化を図ることができる。【選択図】図１
2007115147.tif 000002
【特許請求の範囲】
【請求項１】
ユーザによる入力操作を受け付ける入力部を少なくとも備えた情報演算処理装置であって、
前記入力部は、入力時の前記ユーザの手の接触に応じて、当該手の温度を測定する温度センサを備えるとともに、
前記情報演算処理装置の本体の内部又は前記入力部の内部、或いは、前記情報演算処理装置の本体の外部又は前記入力部の外部には、香料を収納する収納容器と前記収納容器に連通する流路及び前記流路に連通するノズルとを含む香料噴霧部と、前記温度センサにインターフェスを介して接続され当該温度センサから受信する温度信号に応じて前記香料噴霧部を制御する香料噴霧制御部と、を設けてなり、
前記香料噴霧制御部は、前記温度センサが測定した温度信号を受信し、当該温度信号が示す温度が予め定められた所定温度に至った場合に、前記香料噴霧部に対して、該香料噴霧部のノズルから香料の噴霧を実行させるための香料噴霧開始信号を出力する情報演算処理装置。
【請求項２】
前記香料噴霧部の収納容器は、互いに異なる複数種類の香料を収納可能なように構成するとともに、
前記ノズルはそれぞれ異なる香料を噴霧可能なように複数備えてなり、
前記香料噴霧制御部は、前記温度センサから受信する温度信号に応じて、前記香料噴霧部に対し、適宜種類の香料の噴霧を実行させる香料噴霧開始信号を出力することを特徴とする請求項１に記載の情報演算処理装置。
【請求項３】
前記香料噴霧部は、前記情報演算処理装置の本体の外部に設けられてなる請求項１または請求項２に記載の情報演算処理装置。
【請求項４】
ユーザによる入力操作を受け付ける入力部を少なくとも備えた情報演算処理装置であって、
前記入力部は、入力時の前記ユーザの手の接触に応じて、当該手の温度を測定する温度センサを備えるとともに、
前記情報演算処理装置の本体の内部には、前記温度センサにインターフェスを介して接続され、当該温度センサから受信する温度信号に応じて、当該温度信号が示す温度が予め定められた所定温度に至った場合に、予め記憶部に記憶された対策メッセージを表す対策メッセージデータを、当該記憶部から読み出して、表示部に対して、当該対策メッセージを表示させるための表示信号を送信する制御部を含む情報演算処理装置。
【請求項５】
前記入力部は、マウスまたはキーボードである請求項１から請求項４のいずれかに記載の情報演算処理装置。
【発明の詳細な説明】
【技術分野】
【０００１】
本発明は、ユーザの感情や体調の安定化を図る感情・体調安定化装置に関する。
【背景技術】
【０００２】
従来、キーボードなどの入力装置に温度センサを備え、ユーザの体温変化を検知する手段を含む情報演算処理装置が提案されてきた。
【０００３】
例えば、特許文献１には、温度センサが検知したユーザの体温変化に基づいてユーザの感情変化を捉え、当該感情変化に応じて適切な文章を出力する感情移入型ワードプロセッサが開示されている。
【特許文献１】特開２００２−３６６２７６号公報
【発明の開示】
【発明が解決しようとする課題】
【０００４】
しかしながら、ユーザの体温変化等に基づいてユーザの感情や体調を判断し、積極的に感情・体調の安定化の対策を講じるものは提供されていない。
【課題を解決するための手段】
【０００５】
そこで本発明は、ユーザの感情・体調の安定化を図る情報演算処理装置を提供することを目的とする。具体的には、以下のものを提供する。
【０００６】
（１）  ユーザによる入力操作を受け付ける入力部（キーボード・マウス）を少なくとも備えた情報演算処理装置（ＰＣ）であって、
前記入力部は、入力時の前記ユーザの手の接触に応じて、当該手の温度を測定する温度センサを備えるとともに、
前記情報演算処理装置の本体の内部又は前記入力部の内部、或いは、前記情報演算処理装置の本体の外部又は前記入力部の外部には、香料を収納する収納容器と前記収納容器に連通する流路及び前記流路に連通するノズルとを含む香料噴霧部と、前記温度センサにインターフェスを介して接続され当該温度センサから受信する温度信号に応じて前記香料噴霧部を制御する香料噴霧制御部と、を設けてなり、
前記香料噴霧制御部は、前記温度センサが測定した温度信号を受信し、当該温度信号が示す温度が予め定められた所定温度に至った場合に、前記香料噴霧部に対して、該香料噴霧部のノズルから香料の噴霧を実行させるための香料噴霧開始信号を出力する情報演算処理装置。
【０００７】
（１）の発明によれば、当該情報演算処理装置は、ユーザの手の接触に応じて当該手の温度を測定し、前記ユーザの手の温度を検知したことに応じて香料を霧状に噴霧することができる。このことにより、例えば、アロマテラピー効果によりユーザの感情・体調の安定を図ることができる。
【０００８】
（２）  前記香料噴霧部の収納容器は、互いに異なる複数種類の香料を収納可能なように構成するとともに（例えば、複数の容器群から構成されていたり、一つの容器が仕切り板で区画されていたりするようなもの）、
前記ノズルはそれぞれ異なる香料を噴霧可能なように複数備えてなり、
前記香料噴霧制御部は、前記温度センサから受信する温度信号に応じて、前記香料噴霧部に対し、適宜種類の香料の噴霧を実行させる香料噴霧開始信号を出力することを特徴とする（１）に記載の情報演算処理装置。
【０００９】
（２）の発明によれば、当該情報演算処理装置は、互いに異なる複数種類の香料を収納し、ユーザの指の温度を検知したことに応じて、当該複数種類の香料から適宜種類の香料を選択して霧状に噴霧することができる。このことにより、例えば、検知したユーザの指の温度に応じて異なる香料を噴霧することができる。
【００１０】
より具体的には、手の温度が急に低下した場合に、ある香料を噴霧したり、逆に手の温度が急に上昇した場合に別の香料を噴霧したりすることができる。また、異なる香料を複数混ぜて噴霧することもできる。その結果、例えば、適切な香料を選択することによって、より適切にユーザの感情・体調の安定を図ることができる。
【００１１】
（３）  前記香料噴霧部は、前記情報演算処理装置の本体の外部に設けられてなる（１）または（２）に記載の情報演算処理装置。
【００１２】
（３）の発明によれば、前記香料噴霧部は、前記情報演算処理装置本体の外部に設けられている。このことにより、該香料噴霧部は、前記情報演算処理装置の本体から独立して配置可能である。このことにより、ユーザは、香料がより適切に噴霧されるよう、前記香料噴霧部を適切な位置に配置することができる。その結果、例えば、当該本体はデスクの下に配置しつつ、香料噴霧部をユーザの鼻に近い机の上等に配置することができる。
【００１３】
（４）  ユーザによる入力操作を受け付ける入力部（キーボード・マウス）を少なくとも備えた情報演算処理装置であって、
前記入力部は、入力時の前記ユーザの手の接触に応じて、当該手の温度を測定する温度センサを備えるとともに、
前記情報演算処理装置の本体の内部には、前記温度センサにインターフェスを介して接続され、当該温度センサから受信する温度信号に応じて、当該温度信号が示す温度が予め定められた所定温度に至った場合に、予め記憶部（バルクメモリ・ＨＤＤ等）に記憶された対策メッセージを表す対策メッセージデータを、当該記憶部から読み出して、表示部（ＬＣＤ等）に対して、当該対策メッセージを表示させるための表示信号を送信する制御部を含む情報演算処理装置。
【００１４】
（４）の発明によれば、当該情報演算処理装置は、ユーザの手の温度に応じて、対策メッセージを表示部に表示することができる。このことにより、当該手の温度に応じて、例えば、休憩を促したり、食事を勧めたりするメッセージを表示させることができる。その結果、ユーザが当該対策メッセージに応じた対策を適宜実施することによって、ユーザの感情や体調の維持を図ることができる。
【００１５】
（５）  前記入力部は、マウスまたはキーボードである（１）から（４）のいずれかに記載の情報演算処理装置。
【００１６】
（５）の発明によれば、当該情報演算処理装置は、マウスまたはキーボードに温度センサを備えている。このことにより、ユーザのマウスまたはキーボードへの接触に応じてユーザの手の温度を検知し、それぞれ（１）から（４）と同様の効果が期待できる。
【発明の効果】
【００１７】
本発明によれば、ユーザの手の温度に応じて、ユーザの感情変化・体調変化を安定化させる香料を自動選択し、適切な場所に噴霧でき、あるいは体調維持のための対策メッセージを表示することができ、積極的にユーザの感情・体調の安定化を図ることのできる情報演算処理装置を提供する。
【発明を実施するための最良の形態】
【００１８】
以下、本発明の実施形態について図面に基づいて説明する。
【００１９】
図１は、本発明の好適な実施形態の一例に係る情報演算処理装置１として、デスクトップ型ＰＣとして構成した例を示す。情報演算処理装置１は、香料噴霧装置５０と、温度検知部３０ａ、３０ｂをそれぞれ含む入力部２０ａ、２０ｂと、表示部４０と、本体１０と、で構成される。なお、温度検知部３０ａ、３０ｂの数は、これに限られない。
【００２０】
香料噴霧装置５０は、図１に示した例のように、本体１０の外部、入力部２０ａ、２０ｂの外部に配置することができる。あるいは、香料噴霧装置５０は、入力部２０ａ、２０ｂの内部に配置（内蔵）してもよく、この場合の香料噴霧装置５０の配置例を図２、図３に示す。また、香料噴霧装置５０は、本体１０の内部に配置（内蔵）してもよく、この場合の香料噴霧装置５０の配置例を図４に示す。
【００２１】
なお、情報演算処理装置１は、上記の例の様なデスクトップ型ＰＣの他、例えばノート型ＰＣ、ＰＤＡ、ゲーム機等、ユーザからの入力を定常的に受け付ける情報演算処理装置として構成してもよい。
【００２２】
このように、香料噴霧装置５０は、上述の様な様々な情報演算処理装置１の表示部４０、又は本体１０、又は入力部２０ａ、２０ｂ等の前面又は側面に配置することとしてもよい。
【００２３】
入力部２０ａ、２０ｂは、例えばマウス、タッチバッド、ジョイスティック等のポインティングデバイス、又は、キーボード、操作ボタン等、ユーザの指や掌等の皮膚に頻繁に触れ、ユーザからの入力を受け付ける部位、又はそれを支持する部位によって構成してもよい。
【００２４】
温度検知部３０ａ、３０ｂは、より好適にユーザの体温を測定するために、例えば情報演算処理装置１の入力部２０ａ、２０ｂの表面で、ユーザの指または掌等の皮膚が頻繁に接触する部分に配置するのが良い。
【００２５】
図５は、情報演算処理装置１における香料噴霧装置５０の構成例を示す。香料噴霧装置５０は、香料噴霧部５１、及び香料噴霧制御部５２によって構成されている。また、香料噴霧部５１は、当該香料の収納容器としての香料タンク５４ａ、５４ｂ、５４ｃ、香料タンクポンプ５３０ａ、５３０ｂ、５３０ｃ、コンプレッサ５１０、ノズル５５０ａ、５５０ｂ、５５０ｃにより構成されている。
【００２６】
複数の香料が収納可能な香料タンク５４ａ、５４ｂ、５４ｃと、ノズル５５０ａ、５５０ｂ、５５０ｃとは、流路及び香料タンクポンプ５３０ａ、５３０ｂ、５３０ｃを介して接続される。
【００２７】
また、香料噴霧制御部５２は、香料タンクポンプ５３０ａ、５３０ｂ、５３０ｃと、コンプレッサ５１０と、ノズル５５０ａ、５５０ｂ、５５０ｃと、を制御し、温度検知部３０ａ、３０ｂから受信する温度信号に応じて、１つまたは複数の香料を選択し、当該ノズルから香料の噴霧を実行させるための香料噴霧開始信号を出力する。
【００２８】
ここで、ノズル５５０ａ、５５０ｂ、５５０ｃは香料の数分用意しているが、１つに集約してもよい。その場合には、香料タンク５４ａ、５４ｂ、５４ｃから連通する流路は、１つのノズルに連通し、複数香料の混合液を当該ノズルより噴霧する。
【００２９】
また、香料タンク５４ａ、５４ｂ、５４ｃは、一体成形として、仕切り板によって三つの領域に区画された一の香料タンクとして構成してもよい。また、香料タンクの数及び区画の数は任意に設計してよい。
【００３０】
図６は、本発明の好適な実施形態の一例に係る情報演算処理装置１の香料噴霧動作を制御するＣＰＵ１１０と、ＣＰＵ１１０に電気的に接続する周辺装置とを含む回路構成を示す。
【００３１】
ＣＰＵ１１０が制御信号により動作を制御する主要な周辺装置としては、記憶部１２０と、香料噴霧装置５０と、表示部４０と、がある。
【００３２】
また、ＣＰＵ１１０が制御指令を発生するために必要な入力信号を発生する主要な入力信号発生手段としては、温度検知部３０ａ、３０ｂと、入力部２０ａ、２０ｂと、タイマー１３０と、がある。
【００３３】
上記制御信号及び入力信号は、伝送路１５０を経由して各部に伝わる。ＣＰＵ１１０は、情報演算処理装置１の外部と、通信接続部１４０を経由して通信を行う。
【００３４】
このように、ＣＰＵ１１０は、記憶部１２０に記憶されたプログラムを、適宜読み出して実行することにより、上述のハードウェア（周辺装置）と協働し、本発明に係る各種手段を実現している。
【００３５】
記憶部１２０は、各種制御指令、および、詳しくは後述する一連の噴霧動作にて使用する各種テーブル群と、その他例えば、噴霧中の香料データ、噴霧開始時刻等を格納する。
【００３６】
香料噴霧制御部５２は、コンプレッサ５１０を駆動制御するコンプレッサ駆動回路５２０と、香料タンクポンプ５３０ａ、５３０ｂ、５３０ｃを駆動制御する香料タンクポンプ駆動回路５４０と、ノズル５５０ａ、５５０ｂ、５５０ｃから香料を圧出するための圧力制御回路５６０と、香料選択回路５７０と、で構成される。香料噴霧制御部５２は、ＣＰＵ１１０に伝送路１５０を介して接続されており、ＣＰＵ１１０から出力される駆動指令等の制御信号を受けて、上記各装置の動作を制御する。
【００３７】
温度検知部３０ａ、３０ｂは、温度センサ３１０と、信号処理回路３２０と、Ａ／Ｄコンバータ３３０と、で構成される。温度センサ３１０からの温度信号を、信号処理回路３２０を介してＡ／Ｄコンバータ３３０でデジタル信号に変換し、記憶部１２０に格納する。
【００３８】
温度センサ３１０からの温度信号値は、ユーザの興奮や緊張等の感情・体調変化により、通常時に比べ大きく変動する。詳しくは後述するが、ＣＰＵ１１０は、デジタル化された当該温度信号を受信し、その変動幅を監視することで、ユーザの感情・体調を判別し、あるいはユーザの感情・体調を落ち着かせる効果のある香料、あるいはユーザの感情・体調を落ち着かせるための対策メッセージ等を選択する。
【００３９】
ここで、上記温度センサ３１０は、指を接触することによって当該ユーザの脈拍を測定し、電気信号として送信する脈拍センサ（図示しない）に置き換えることもでき、以下、「温度」を「脈拍」と読み替えて情報演算処理装置１を構成することができる。この場合、脈拍センサの設置場所は温度センサ３１０の場合と同様であり、温度の変動幅の代わりに、脈拍の変動幅を用いて、感情・体調、あるいは香料、あるいは対策メッセージの判別を行う。さらに、温度センサ３１０および脈拍センサを共に設置し、両センサからの入力値の組み合わせにて、感情・体調、あるいは香料、あるいは対策メッセージの選択を行ってもよい。
【００４０】
［メインフローＡ］
図７は、情報演算処理装置１の噴霧処理を示すメインのフローチャートである。以下、噴霧処理のメインの処理を説明する。
【００４１】
ステップＳ１００では、ＣＰＵ１１０及び周辺装置が、情報演算処理装置１の電源の投入を契機として動作を開始する。あるいは、ＣＰＵ１１０及び周辺装置の動作を開始させる専用の電源スイッチを用意してもよい。
【００４２】
また、ステップＳ１００では、ＣＰＵ１１０は、後述の処理にて使用するための設定テーブル一組を読み込む。ここで、設定テーブル一組は、図１５〜２０のテーブル７０、７２、７４、７６、８０、８２に示した構成を持ち、既定データ、もしくは前回動作時に保存されたデータを記憶している。なお、設定テーブルは複数組管理することが可能であり、ユーザごとにデータ設定したものを、カスタムテーブルとして保存することができ、詳しくは後述するカスタムテーブル読み込み処理（図１０）にて、それらを入れ替えて使用することができる。この処理が終了した場合には、ステップＳ１０５に処理を移す。
【００４３】
ステップＳ１０５では、割り込み処理の選択の受付を開始し、以降、任意のタイミングで割り込み処理を行う。具体的には、例えば、表示部４０に、カスタムテーブル読み込み処理、香料選択処理、時間設定処理、噴霧終了処理、データ保存処理の選択を受け付ける表示を表示部４０に行い、ユーザからの選択を受け付けることで、当該処理を行う。割り込み処理の詳細は後述する（図９）。
【００４４】
ステップＳ１１０では、温度センサ３１０によるユーザの指または掌等の温度検知処理を行う。この処理の詳細については後述する（図８）。当該温度検知処理は、温度検知部３０ａ、３０ｂからの温度信号に基づいて、ユーザの感情・体調を判別し、これを安定させるために適した香料及び噴霧時間・噴霧間隔を選択する処理を行う。この処理が終了した場合には、ステップＳ１１５に処理を移す。
【００４５】
ステップＳ１１５では、ステップＳ１１０のセンサ検知処理によって選択された香料の噴霧を開始または継続、あるいは、選択される香料が設定されていない場合には噴霧を停止する。ただし、後述する図９のステップＳ２３５において噴霧を終了している場合には、同一香料の噴霧を再開することはしない。具体的には、ＣＰＵ１１０は、圧力制御回路５６０に制御信号を送り、コンプレッサ５１０からの圧縮空気を送り込み、ノズル５５０ａ、５５０ｂ、５５０ｃから香料を噴霧する。さらに、タイマー１３０により、噴霧時間の計測を行う。この処理が終了した場合には、ステップＳ１２０に処理を移す。
【００４６】
ステップＳ１２０では、ＣＰＵ１１０は、ステップＳ１１０において噴霧時間・噴霧間隔が選択されたか否かを判別する。
【００４７】
ステップＳ１２５では、噴霧時間及び噴霧間隔の判別処理を行う。この処理において、噴霧時間・噴霧間隔設定データに基づいて、噴霧時間の経過判断や設定された噴霧間隔で噴霧を行うか否かの判別を行う。この処理の詳細については後述する（図１２）。この処理が終了した場合には、ステップＳ１３０に処理を移す。
【００４８】
ステップＳ１３０では、ＣＰＵ１１０は、ＣＰＵ１１０及び周辺装置の動作を終了するか否かの判別を行う。具体的には、ＣＰＵ１１０は、電源スイッチのオフを受け付けることにより、ＣＰＵ１１０及び周辺装置の動作を終了する。または、ステップＳ１０５において、表示部４０に動作終了の選択肢を表示しておき、この選択を受け付けることにより、ＣＰＵ１１０及び周辺装置の動作を終了するとしてもよい。これにより、メインフローは終了する。ＣＰＵ１１０及び周辺装置の動作を終了する旨の選択を受け付けない場合は、ステップＳ１１０に処理を戻し、再びセンサ検知処理Ａを行う。
【００４９】
［センサ検知処理Ａ］
図７のステップＳ１１０において実行されるセンサ検知処理Ａのサブルーチンについて、図８を用いて説明する。
【００５０】
ステップＳ５００では、ＣＰＵ１１０は、温度センサ３１０からの温度信号の受付を開始する。具体的には、信号処理回路３２０において、信号処理を開始することにより行う。この処理が終了した場合には、ステップＳ５０５に処理を移す。
【００５１】
ステップＳ５０５では、ＣＰＵ１１０は、基準データの収集を行う。具体的には、温度センサ３１０からの温度信号の受付を開始したときの各センサの温度信号値を記憶部１２０に記憶する。この始動時の温度信号値は、ユーザの感情・体調が安定した状態であることが望ましく、ユーザの指や掌が温度センサへ接触した時の温度信号値の規定回数の平均値等を採用することが好ましい。もしくは、あらかじめ記憶部１２０に所定の温度信号値を、基準信号値データとして記憶しておき、ＣＰＵ１１０はステップＳ５０５において、この基準信号値データを記憶部１２０から読み込むことにより行ってもよい。この処理が終了した場合には、ＣＰＵ１１０は、ステップＳ５１０に処理を移す。
【００５２】
ステップＳ５１０では、ＣＰＵ１１０は、温度センサ３１０により、ユーザの指等の温度の検知を開始する。具体的には、温度センサ３１０からのリアルタイムの温度信号を信号処理回路３２０が受け付け、ＣＰＵ１１０が入力信号のモニターを開始する。この処理が終了した場合には、ステップＳ５１５に処理を移す。
【００５３】
ステップＳ５１５では、ＣＰＵ１１０は、温度センサ３１０からの温度信号がしきい値を超えたか否かの判別を行う。具体的には、例えば、ＣＰＵ１１０は、記憶部１２０に記憶している感情・体調判別テーブル７０（図１５）を参照し、各センサにおける入力信号の基準信号に対する変動値、あるいは変動してからの経過時間等が、しきい値フィールド７０２の値を超えているか否かを判別する。ＣＰＵ１１０がしきい値を超えていると判別した場合には、ステップＳ５２０に処理を移し、ＣＰＵ１１０がしきい値を超えていないと判別した場合には、センサ検知処理Ａを終了する。
【００５４】
ステップＳ５２０では、ＣＰＵ１１０は、感情・体調を判別する。具体的には、例えば、記憶部１２０に記憶している感情・体調判別テーブル７０（図１５）を参照し、ステップＳ５１５において判別されたしきい値について、体調判断フィールド７０４上で対応付けられている感情・体調の種類を参照し、これを当該ユーザの現在の感情・体調であると判断する。この処理が終了した場合には、ステップＳ５２５に処理を移す。
【００５５】
ステップＳ５２５では、ＣＰＵ１１０は、ステップＳ５２０で判別した感情・体調を安定化させるための香料の選択処理を行う。具体的には、例えば、記憶部１２０に記憶している体調判断による香料選択テーブル７２（図１６）を参照し、ステップＳ５２０で判別した感情・体調の種類に対応付けている香料を、香料フィールド７２４から選択する。なお、各香料は、それぞれを収納しているタンク名に関連付けており、香料フィールドには、香料名ではなく、直接タンク名と関連付けてもよい。この処理が終了した場合には、ステップＳ５３０に処理を移す。
【００５６】
ステップＳ５３０では、ＣＰＵ１１０は、ステップＳ５２５で選択した香料の噴霧時間及び噴霧間隔の選択処理を行う。具体的には、例えば、記憶部１２０に記憶している体調判断による噴霧時間選択テーブル７４（図１７）を参照し、ステップＳ５２０で判別した感情・体調の種類に対応付けている時間及び間隔を、それぞれ時間フィールド７４４及び間隔フィールド７４６から選択する。この処理が終了した場合には、センサ検知処理Ａを終了する。
【００５７】
ここで、ステップＳ５２５とステップＳ５３０との処理順序は任意であり、また、図１６の体調判断による香料選択テーブル７２と、図１７の体調判断による噴霧時間選択テーブル７４とは、ひとつのテーブルとして、同一処理にて、香料、噴霧時間、噴霧間隔を選択するようにしてもよい。
【００５８】
また、ステップＳ５２０の体調判別処理は行わず、例えば、記憶部１２０に記憶しているセンサ値による香料・噴霧時間選択テーブル８０（図１９）を参照し、ステップＳ５１５において判別されたしきい値に対応付けた香料、噴霧時間・噴霧間隔を、それぞれ香料フィールド８０４、時間フィールド８０６、間隔フィールド８０８から選択することとしてもよい。
【００５９】
［割込処理フロー］
図７のステップＳ１０５において受付開始された割り込み処理について、図９を用いて説明する。
【００６０】
ステップＳ２００、ステップＳ２１０、ステップＳ２２０、ステップＳ２３０、ステップＳ２４０では、ユーザが選択した割り込み処理の種類を判別する。選択した割り込み処理がカスタムテーブル読み込み処理の場合、ステップＳ２０５に処理を移し、選択した割り込み処理が香料選択処理の場合、ステップＳ２１５に処理を移し、選択した割り込み処理が時間設定処理の場合、ステップＳ２２５に処理を移し、選択した割り込み処理が噴霧終了処理の場合、ステップＳ２３５に処理を移し、選択した割り込み処理がデータ保存処理の場合、ステップＳ２４５に処理を移す。
【００６１】
ステップＳ２０５では、ユーザが予めカスタマイズした各種テーブル（図１５〜図２０）を記憶部１２０に読み込む。処理の詳細については後述する（図１０）。この処理が終了した場合は、ＣＰＵ１１０は割り込み処理を終了する。
【００６２】
ステップＳ２１５では、ユーザの好みに応じて、噴霧する香料の選択の受付を行う。この処理の詳細については後述する（図１１）。この処理が終了した場合は、ＣＰＵ１１０は割り込み処理を終了する。
【００６３】
ステップＳ２２５では、ＣＰＵ１１０は、噴霧時間もしくは噴霧する時間間隔の設定の受付を行う。具体的には、ＣＰＵ１１０は、表示部４０に図２３のような設定画面を表示する。例えば、噴霧時間と噴霧する時間間隔の入力を受け付ける入力ボックスを表示し、キーボード、ソフトウェアキーボード、タッチパネル等の入力手段により、入力を受け付け、これ以降に実行される処理では、テーブル中の時間及び間隔データを置換するものとして使用する。この処理が終了した場合には、ＣＰＵ１１０は割り込み処理を終了する。
【００６４】
ステップＳ２２５では、体調判断による噴霧時間選択テーブル７４や、センサ値による香料・噴霧時間選択テーブル８０の時間及び間隔データ全体を変更できるように、表示部４０にテーブル形式の表示を追加し（図示しない）、任意の噴霧時間・噴霧間隔データを選択して変更できるとしても良い。
【００６５】
ステップＳ２３５では、香料の噴霧動作を終了する。具体的には、香料の噴霧を継続している場合は、ＣＰＵ１１０は、圧力制御回路５６０に停止信号を送り、ノズル５５０ａ、５５０ｂ、５５０ｃからの噴霧を停止する。この処理が終了した場合には、ＣＰＵ１１０は割り込み処理を終了する。
【００６６】
ステップＳ２４５では、ステップＳ２１５およびステップＳ２２５にて設定した香料データ、あるいは時間データ、あるいは間隔データを含む設定テーブルを、カスタムテーブルとして保存する。この処理が終了した場合には、ＣＰＵ１１０は割り込み処理を終了する。次回、ＣＰＵ１１０及び周辺装置が動作を開始した際には、ステップＳ１００（図７）にて、当該カスタムテーブルを読み込む。
【００６７】
［カスタムテーブル読み込み処理］
図９のステップＳ２０５において実行されるカスタムテーブル読み込み処理について、図１０を用いて説明する。
【００６８】
ここで、カスタムテーブルは、ステップＳ１００（図７）にて読み込んだデフォルトの設定テーブル（図１５〜２０のテーブル７０、７２、７４、７６、８０、８２）と同様の構成を持つが、ステップＳ２４５にて保存された、ユーザによる既定データからの変更を受け付けたものである。カスタムテーブル読み込み処理では、ＣＰＵ１１０は、ステップＳ１００にて読み込んだデフォルトの設定テーブルに代えて、カスタムテーブルを読み込む。これ以降に実行される処理においては、カスタムテーブルのデータを、デフォルトの設定テーブルのデータに代えて使用する。
【００６９】
ステップＳ３００では、ＣＰＵ１１０は、上記カスタムテーブルを読み込み、既定データの置換を行うか否かを判別する。具体的には、ＣＰＵ１１０は、表示部４０に図２１のような選択画面を表示する。例えば、上記カスタムテーブルを記憶したファイル名のリストを表示し、マウス等のポインティングデバイス、キーボード、タッチパネル等の入力手段により、入力を受け付ける。なお、上記カスタムテーブルは、記憶部１２０、あるいは外部記憶装置を接続している場合には、外部記憶装置に記憶してあるとしてもよい。
【００７０】
ステップＳ３００において、ＣＰＵ１１０は、ファイル名の選択を受け付けた場合には、ステップＳ３０５に処理を移し、キャンセルの選択等によりファイル名の選択を受け付けなかった場合には、カスタムテーブル読み込み処理を終了する。
【００７１】
ステップＳ３０５では、ＣＰＵ１１０は、ステップＳ３００にて受け付けたカスタムテーブルを、記憶部１２０から読み込み、デフォルトの設定テーブルのデータを置換する。この処理が終了した場合には、ＣＰＵ１１０は、カスタムテーブル読み込み処理を終了する。
【００７２】
なお、カスタムテーブル読み込み処理においては、テーブル７０、７２、７４、７６、８０、８２に、ＩＤフィールドを設け、ステップＳ３００の選択画面において、ＩＤ選択を受け付けることで、当該ＩＤに応じた行のデータを、これ以降に実行する処理にて使用するとしてもよい。
【００７３】
［香料選択処理］
図９のステップＳ２１５において実行される香料選択処理について、図１１を用いて説明する。
【００７４】
ステップＳ４００では、ＣＰＵ１１０は、噴霧する香料の選択を行うか否かを判別する。具体的には、ＣＰＵ１１０は、表示部４０に図２２のような選択画面を表示する。例えば、香料タンク５４ａ、５４ｂ、５４ｃにセットされている香料名、または香料タンク名、または両方のリストを表示し、マウス等のポインティングデバイス、キーボード、タッチパネル等の入力手段により、入力を受け付ける。ここで、噴霧する香料の選択は、１つのみとは限らず、同時に複数の香料名もしくは香料タンク名の選択を受け付けてもよい。
【００７５】
ステップＳ４００において、ＣＰＵ１１０は、香料の選択を受け付けた場合には、ステップＳ４０５に処理を移し、キャンセルの選択等によりファイル名の選択を受け付けなかった場合には、香料選択処理を終了する。
【００７６】
ステップＳ４００では、体調判断による香料選択テーブル７２や、センサ値による香料・噴霧時間選択テーブル８０の香料データ全体を変更できるように、表示部４０にテーブル形式の表示を追加し（図示しない）、任意の香料データを選択して変更できるとしてもよい。
【００７７】
ステップＳ４０５では、ＣＰＵ１１０は、ステップＳ４００にて受け付けた香料データを記憶し、これ以降に実行される処理では、テーブル中の香料データを置換するものとして使用する。この処理が終了した場合には、ＣＰＵ１１０は香料選択処理を終了する。
【００７８】
［噴霧時間・噴霧間隔判別処理］
図７のステップＳ１２５において実行される噴霧時間・噴霧間隔判別処理について、図１２を用いて説明する。
【００７９】
ステップＳ６００では、ＣＰＵ１１０は、ステップＳ１１０（図７）にて選択された噴霧時間が経過したか否かを判別する。具体的には、現在、香料を噴霧中であり、ステップＳ１１５（図７）において、タイマー１３０により計測を開始した噴霧時間が、ステップＳ１１０において選択された噴霧時間を経過したか否かを判別する。ＣＰＵ１１０は、噴霧停止中、または噴霧時間が経過していないと判断した場合は、ステップＳ６１０に処理を移す。噴霧中であり、かつ噴霧時間が経過したと判断した場合には、ステップＳ６０５に処理を移す。
【００８０】
ステップＳ６０５では、ＣＰＵ１１０は、香料の噴霧を停止する。
【００８１】
ステップＳ６１０では、ＣＰＵ１１０は、噴霧間隔の設定の有無を判別する。具体的には、ステップＳ１１０（図７）において噴霧間隔の設定を選択したか否かを判別する。ＣＰＵ１１０は、噴霧間隔の設定がある場合には、ステップＳ６１５に処理を移し、噴霧間隔の設定がない場合には、噴霧時間・噴霧間隔判別処理を終了する。
【００８２】
ステップＳ６１５では、ＣＰＵ１１０は、噴霧間隔時間が経過したか否かを判別する。具体的には、ステップＳ６０５において、タイマー１３０により計測を開始した噴霧間隔時間が、ステップＳ１１０（図７）において選択された噴霧間隔時間を経過したか否かを判別する。ＣＰＵ１１０は、噴霧中、または噴霧間隔時間が経過していないと判断した場合は、噴霧時間・噴霧間隔判別処理を終了する。噴霧停止中であり、かつ噴霧間隔時間が経過したと判断した場合には、ステップＳ６２０に処理を移す。
【００８３】
ステップＳ６２０では、ＣＰＵ１１０は、香料の噴霧を再開する。
【００８４】
［メインフローＢ］
メインフローＡ（図７）では、感情・体調を安定化させるために香料の噴霧を行うが、香料噴霧に代えて、対策メッセージの表示を行う例を、図１３に示す。
【００８５】
ステップＳ７０５のセンサ検知処理Ｂは、メインフローＡのセンサ検知処理Ａと異なり、香料・噴霧時間・噴霧間隔の選択ではなく、ＣＰＵ１１０は対策メッセージの選択を行う。この処理の詳細については後述する（図１４）。
【００８６】
ステップＳ７１０では、メインフローＡの香料噴霧処理に代えて、ＣＰＵ１１０は、対策メッセージの表示を行う。具体的には、表示部４０に、例えば図２４のように、ステップＳ７０５で選択した対策メッセージの表示を行う。
【００８７】
［センサ検知処理Ｂ］
センサ検知処理Ａ（図８）では、香料・噴霧時間・噴霧間隔の選択を行うが、これに代えてメッセージの選択を行う例を、図１４に示す。
【００８８】
ステップＳ８２５では、ＣＰＵ１１０は、ステップＳ８２０で判別した感情・体調の種類に対応するメッセージの選択処理を行う。具体的には、例えば、記憶部１２０に記憶している体調判断によるメッセージ選択テーブル７６（図１８）を参照し、ステップＳ８２０で判別した感情・体調の種類に対応付けているメッセージを、メッセージフィールド７６４から選択する。
【００８９】
あるいは、ステップＳ８２０の体調判別処理は行わず、例えば、記憶部１２０に記憶しているセンサ値によるメッセージ選択テーブル８２（図２０）を参照し、ステップＳ８１５において判別されたしきい値に対応付けたメッセージを、メッセージフィールド８２４から選択するとしてもよい。
【００９０】
以上、本発明の実施形態を説明したが、具体例を例示したに過ぎず、特に本発明を限定しない。また、本発明の実施形態に記載された効果は、本発明から生じる最も好適な効果を列挙したに過ぎず、本発明による効果は、本発明の実施形態に記載された効果に限定されない。
【図面の簡単な説明】
【００９１】
【図１】本発明の好適な実施形態の一例に係る情報演算処理装置１の物理的な概略構成を示した図である。
【図２】本発明の好適な実施形態の一例に係る情報演算処理装置１における香料噴霧装置５０の配置例を示した図である。
【図３】本発明の好適な実施形態の一例に係る情報演算処理装置１における香料噴霧装置５０の配置例を示した図である。
【図４】本発明の好適な実施形態の一例に係る情報演算処理装置１における香料噴霧装置５０の配置例を示した図である。
【図５】本発明の好適な実施形態の一例に係る情報演算処理装置１における香料噴霧装置５０の概略構成を示した図である。
【図６】本発明の好適な実施形態の一例に係る情報演算処理装置１の電気的な概略構成を示したブロック図である。
【図７】本発明の好適な実施形態の一例に係る情報演算処理装置１の処理の流れを示すフローチャートである。
【図８】本発明の好適な実施形態の一例に係る情報演算処理装置１の処理の流れを示すフローチャートである。
【図９】本発明の好適な実施形態の一例に係る情報演算処理装置１の処理の流れを示すフローチャートである。
【図１０】本発明の好適な実施形態の一例に係る情報演算処理装置１の処理の流れを示すフローチャートである。
【図１１】本発明の好適な実施形態の一例に係る情報演算処理装置１の処理の流れを示すフローチャートである。
【図１２】本発明の好適な実施形態の一例に係る情報演算処理装置１の処理の流れを示すフローチャートである。
【図１３】本発明の好適な実施形態の一例に係る情報演算処理装置１の処理の流れを示すフローチャートである。
【図１４】本発明の好適な実施形態の一例に係る情報演算処理装置１の処理の流れを示すフローチャートである。
【図１５】本発明の好適な実施形態の一例に係る情報演算処理装置１における感情・体調判別テーブル７０を示す図である。
【図１６】本発明の好適な実施形態の一例に係る情報演算処理装置１における体調判断による香料選択テーブル７２を示す図である。
【図１７】本発明の好適な実施形態の一例に係る情報演算処理装置１における体調判断による噴霧時間選択テーブル７４を示す図である。
【図１８】本発明の好適な実施形態の一例に係る情報演算処理装置１における体調判断によるメッセージ選択テーブル７６を示す図である。
【図１９】本発明の好適な実施形態の一例に係る情報演算処理装置１におけるセンサ値による香料・噴霧時間選択テーブル８０を示す図である。
【図２０】本発明の好適な実施形態の一例に係る情報演算処理装置１におけるセンサ値によるメッセージ選択テーブル８２を示す図である。
【図２１】本発明の好適な実施形態の一例に係る情報演算処理装置１におけるカスタムテーブル選択処理時の表示例を示す図である。
【図２２】本発明の好適な実施形態の一例に係る情報演算処理装置１における香料選択処理時の表示例を示す図である。
【図２３】本発明の好適な実施形態の一例に係る情報演算処理装置１における噴霧時間・噴霧間隔設定処理時の表示例を示す図である。
【図２４】本発明の好適な実施形態の一例に係る情報演算処理装置１における対策メッセージの表示例を示す図である。
【符号の説明】
【００９２】
１                              情報演算処理装置
１０                            本体
１１０                          ＣＰＵ
１２０                          記憶部
１３０                          タイマー
１４０                          通信接続部
１５０                          伝送路
２０ａ、２０ｂ                  入力部
３０ａ、３０ｂ                  温度検知部
３１０                          温度センサ
３２０                          信号処理回路
３３０                          Ａ／Ｄコンバータ
４０                            表示部
５０                            香料噴霧装置
５１                            香料噴霧部
５２                            香料噴霧制御部
５４ａ、５４ｂ、５４ｃ          香料タンク
５１０                          コンプレッサ
５２０                          コンプレッサ駆動回路
５３０ａ、５３０ｂ、５３０ｃ    香料タンクポンプ
５４０                          香料タンクポンプ駆動回路
５５０ａ、５５０ｂ、５５０ｃ    ノズル
５６０                          圧力制御回路
５７０                          香料選択回路
【図１】
2007115147.tif 000003
【図２】
2007115147.tif 000004
【図３】
2007115147.tif 000005
【図４】
2007115147.tif 000006
【図５】
2007115147.tif 000007
【図６】
2007115147.tif 000008
【図７】
2007115147.tif 000009
【図８】
2007115147.tif 000010
【図９】
2007115147.tif 000011
【図１０】
2007115147.tif 000012
【図１１】
2007115147.tif 000013
【図１２】
2007115147.tif 000014
【図１３】
2007115147.tif 000015
【図１４】
2007115147.tif 000016
【図１５】
2007115147.tif 000017
【図１６】
2007115147.tif 000018
【図１７】
2007115147.tif 000019
【図１８】
2007115147.tif 000020
【図１９】
2007115147.tif 000021
【図２０】
2007115147.tif 000022
【図２１】
2007115147.tif 000023
【図２２】
2007115147.tif 000024
【図２３】
2007115147.tif 000025
【図２４】
2007115147.tif 000026